(57)【要約】【課題】  禁煙スペースへ有害物質が流れ込むことを防止する循環式空気清浄機を提供する。【解決手段】  天板４下面に設けられたスリット３と、筐体４０に設けられた空気吹出口４５と、スリット３から吸い込んだ空気を空気吹出口４５へと供給するファン５及びダクト３１と、プレフィルタ７、集塵セル６及び脱臭フィルタ４２と、空気吹出口４５から排出される空気のほぼ全量をスリット３から回収可能とするように空気吹出口４５の上流に流速及び流れ方向を規制する第１及び第２の整流板４３，４４を設ける。【選択図】        図２
2005188910.tif 000002
【特許請求の範囲】
【請求項１】
天井部材と、前記天井部材下面に設けられた空気吸込口と、前記天井部材下方に前記天井部材と離れて設けられた空気吹出口と、前記空気吸込口から吸い込んだ空気を前記空気吹出口へと供給する空気移送手段と、前記空気吸込口から吸い込んだ空気を浄化する空気浄化手段と、空気の流れ方向及び速度を空気吸込口方向へ循環するように規制する整流部材を前記空気吹出口の上流に設けたことを特徴とする循環式空気清浄機。
【請求項２】
ファンおよびダクトから構成される前記空気移送手段と、前記空気吹出口及び整流部材を有する筐体と、第１及び第２の整流部材から構成される前記整流部材と、前記第１の整流部材は前記ダクトから前記筐体内部に流入した空気を一定方向に整流し、前記第２の整流部材は前記第１の整流部材によって整流された空気を整流し前記空気吹出口からの吹出角度を規制することを特徴とする請求項１記載の循環式空気清浄機。
【発明の詳細な説明】
【技術分野】
【０００１】
この発明は、屋内で用いられる分煙スペースに設けられる循環式空気清浄機に関するものである。
【背景技術】
【０００２】
従来の空気清浄機は、ファンを用い煙草の煙を捕獲し、集塵セルとフィルタを用いて煙草の粉塵を除去して室内に排気していた。空気清浄機の形状は様々なものがあるが、その一つとして、図１３に示すように、上部に空気収集部材２０１、吸気ファン２０２、空気吸入孔２０３を設け、空気吸入孔２０３から回収した空気を、筒状体２０４を介し、下部に設けられた脱臭剤層２０５、脱塵網２０６等を備えたボックス体２０７へと供給し、浄化された空気を空気排出孔２０８から排出していた（特許文献１参照）。
【０００３】
また、喫煙用の空気清浄機ではないが、図１４に示すように、上部にフード２２０、空気浄化ユニット２２１及び空気吸込口２２２を設け、空気吸込口２２２から吸入した空気を支柱２２３内に設けられた空気通路２２４を介し、ファン２２５が設けられたスタンド２２６の吹出口２２７から空気を排出するバーベキューに用いられる空気清浄機が考えられていた（特許文献２参照）。
【０００４】
【特許文献１】実用新案登録第２６０７２０３号
【特許文献２】特開２００２−３４５９４４号
【発明の開示】
【発明が解決しようとする課題】
【０００５】
ところで、近年、室内空気質（ＩＡＱ）の向上が求められてきており、禁煙スペースの環境をさらに向上させる要求が高まってきた。しかし、現状の集塵セルとフィルタ等から構成される空気浄化手段では、空気浄化手段を一回通過しただけでは集塵を全て取り除くことはできない。また、アセトアルデヒド、アンモニア等のタバコの煙中に含まれるガスは除去することが非常に困難であるため、空気浄化手段を通過した空気を屋内に排出したのであっては、喫煙スペースと禁煙スペースとに分煙化された部屋に、分煙カウンターを設けても、一見煙のない空気であっても有害ガスが含まれることとなり、禁煙スペース内にも有害ガスが流れ込むおそれがあった。
【０００６】
本発明は上記事情に着目してなされたものであり、その目的とするところは、空気清浄機から排出された空気を再循環させることにより禁煙スペースへ有害物質が流れ込むことを防止する循環式空気清浄機を提供することにある。
【課題を解決するための手段】
【０００７】
この発明に係る循環式空気清浄機は、天井部材と、天井部材下面に設けられた空気吸込口と、天井部材下方に天井部材と離れて設けられた空気吹出口と、空気吸込口から吸い込んだ空気を空気吹出口へと供給する空気移送手段と、空気吸込口から吸い込んだ空気を浄化する空気浄化手段と、空気の流れ方向及び速度を空気吸込口方向へ循環するように規制する整流部材を空気吹出口の上流に設けたものである。
【０００８】
この発明に係る循環式空気清浄機は、ファンおよびダクトから構成される空気移送手段と、空気吹出口及び整流部材を有する筐体と、第１及び第２の整流部材から構成される整流部材と、第１の整流部材は前記ダクトから筐体内部に流入した空気を一定方向に整流し、第２の整流部材は第１の整流部材によって整流された空気を整流し空気吹出口からの吹出角度を規制するものである。
【発明の効果】
【０００９】
この発明によれば、空気吹出口から排出された空気のほぼ全量を空気吸込口から回収することができるように空気吹出口からの空気の流速及び方向を規制したので、空気浄化手段で一度で除去しきれなかった有害物質を再度空気浄化手段へと導き、室内の他の空間へ有害物質が流出することを防止することができる。
【００１０】
この発明によれば、第１の整流手段により筐体内の空気を整流し、ほぼ均一になった流れをさらに第２の整流手段に空気吹出口からの吹出角度を規制することにより、さらに確実に空気浄化手段で一度で除去しきれなかった有害物質を再度空気浄化手段へと導き、室内の他の空間へ有害物質が流出することを防止することができる。
【発明を実施するための最良の形態】
【００１１】
実施の形態１．
図１はこの実施の形態１の循環式空気清浄機の外観図である。図２は図１に示す空気清浄機の中心断面図である。図３は天井部分の上部カバーの一部及び筐体部分の第２の整流板を取り除いた断面斜視図である。図４は第２整流板近傍の分解図である。図５は天井部分のプレフィルタ、集塵セル、ファンの拡大図である。
図１に示すように本実施の形態１の空気清浄機は、傘状の天井部材１と、天井部材のほぼ中心を支える支柱３０と、支柱３０の根本に設けられた筐体４０から構成されている。
【００１２】
天井部材１は上部カバー２、天板４及び天板４の上面に設けられたファン５、集塵セル６及びプレフィルタ７から構成されている。天板４はほぼ円形の板で構成されている。先端が丸みをおびたほぼ円錐形状即ちドーム形状の上部カバー２端部と天板４の円周端部は接続されている。図示しないが天板４中心近辺上面に設けられた支持部材により上部カバー２は保持されている。また、円形状天板４に、天板の半径略半分の位置、天板端部から距離Ｌだけ離れた位置に空気吸込口であるスリット３が設けられている。天板４と上部カバー２の間は、吸込空気が流れる空間が形成されている。そして、天板４の中心には孔が開けられ、その上面にファン５が設けられている。そしてファン５の上面にはさらに集塵セル６、さらに集塵セル６の上面にはプレフィルタ７が設けられている。図５に示す例は、集塵セル６が、ファン５より小さいために、ファン５と天板４の上部の空間が連通しないようにカバー１１が設けられている。なお、図５は、内部を理解しやすいように一部カバー１１を除いた図としている。
【００１３】
天板４の中心部の孔は、支柱３０内部に設けられたダクト３１と連通している。ダクト３１のもう一端は、支柱３０を支えている筐体４０の下方内部に開口している。
筐体４０は円筒状のケース４１、脱臭フィルタ４２、第１の整流板４３及び第２の整流板４４から構成されている。筐体４０の下方内部に開口したダクト３１の開口端５０よりやや上部にはリング形状の脱臭フィルタ４２が設けられ、その外周はケース４１と、内周はダクト３１とそれぞれ密着している。脱臭フィルタ４２の上方には複数の半径の異なる円筒状の部材からなる第１の整流板４３が略等間隔で設けられている。ここで、脱臭フィルタ４２は、アンモニア、アセトアルデヒド等を分解する機能を有するもの、例えば周知のオゾン脱臭フィルタ、光触媒フィルタ、プラズマ脱臭フィルタ等を用いることができる。
【００１４】
第１の整流板４３の上方には筐体上部周辺に開口している吹出口４５と連通する流路を形成する第２の整流板４４が設けられている。図３においては、第１の整流板４３の構造をわかりやすいように第２の整流板４４を取り外した状態の断面斜視図としてある。そして第２の整流板４４は、図４の分解図に示すように複数の上に向かって末広がりの円錐の先端が切れた形状からなる部材で構成されており、複数の部材の間隔は、吹出口４５と連通する側の間隔がほぼ均等となり、その反対側の第２の整流板４４端部の間隔は第１の整流板４３出口からの流体がほぼ均等の流量となるように位置決め調整されている。
【００１５】
続いて、その動作について説明する。図示しないスイッチを入れると、集塵セル６に高電圧がかかり、ファン５が起動し、空気の循環が始まる。ファン５により押し出された空気は支柱３０内部のダクト３１の内部を流れ、筐体４０の内部下方に開口したダクト３１から筐体内部に放出される。そして、筐体４０内周面とダクト３１外周面により密着保持された脱臭フィルタ４２の内部を放出された空気が通過する。通過した際に、全量ではないが、空気中に含まれるアセトアルデヒド及びアンモニア等の有害ガスが除去もしくは無毒の物質に分解される。
【００１６】
除去しきれなかった一部有害ガスを含んだ空気は、その上部の第１の整流板４３内部を通過する。第１の整流板４３を通過することにより、乱流が除去され、ほぼ均一な流れが排出される。均一な流れは、第２の整流板４４へと導かれる。第２の整流板４４出口には吹出口４５が設けられており、第２の整流板４４を構成する複数の板の間隔が、吹出口４５において均一になるように構成されている。そして、ファン５が定常状態となる流量において、出口流速が０．６ｍ／ｓで各吹出口４５からの流れが均一になるように第２の整流板４４の複数の板の入り口間隔が調整されている。鉛直方向に対して略３０度（θ）の角度で第２の整流板端部、すなわち吹出口４５から空気が吐出される。整流された状態で吐出された空気は、筐体上面に設けられた図示しない灰皿の周囲で喫煙している喫煙者からの有毒ガスを含む煙をさらに含み、天板４方向へと上昇していく。そして、天板４に設けられたスリット３から上昇してきた空気が回収される。回収された空気は天板４と上部カバー２で密閉された空間内を流れ、ファン５上部のプレフィルタ７、集塵セル６へと導かれ、プレフィルタ７にて比較的大きな塵が除去され、さらには集塵セル６にて高電圧を用いて細かい塵の大部分が除去され、ファン５、そして支柱３０内のダクト３１を流れ、再度筐体４０内部の脱臭フィルタ４２へと再循環される。
【００１７】
吹出口４５の出口流速の設定が早いと、確実に煙の全量吸い込むように思われがちであるが、流速を早めると、流れが乱れること、及び喫煙スペースの周囲の空気も同時に吸い込まれることとなる。吐出流量と吸入流量が同じであることから、周囲の空気を吸い込むということは、吐出した空気の一部が再循環できないことになる。すなわち、有害ガスの一部が再循環されず、周囲に排出されることになるのである。本発明においては、基本的に吹出口４５から吐出した空気を全量回収することを目的とするために、可能な限り喫煙スペースの周囲の空気を吸い込まない方が好ましい。
【００１８】
ここで、図６は全量回収を達成するためにシミュレーションを行ったものを説明する図である。下部に円筒状のケースの周囲に吐出口９０を複数設け、また上部天井部材の下面に吸込口９１を設け、吐出口９０から流れ出た空気が、上部吸込口９１から同量回収するものである。そして、図７（ａ）は吐出速度と循環の安定度、図７（ｂ）は水平面と吐出角度と循環の安定度を示すグラフである。両グラフにおいて安定度とは、吐出口から流れた空気を吸込口から回収できる基準であり、安定度１は安定な循環で、流線が全て吸い込まれる解析結果となったもの、安定度２は不安定な循環で、流線が一部不安定な動きをするが全て流線が吸い込まれる解析結果となったもの、安定度３は循環が不可能で、流線が１本以上吸い込まれない解析結果となったものである。図７（ａ）は吹出角度を８０度に一定、吸込部流速、吐出口と吸込口との距離等の条件を同等とし、吐出口の開口面積を変えることにより吐出流速を変えたものである。図７（ａ）を見ると明らかなように、流速が１．６ｍ／ｓを超えるあたりから急激に循環の安定度、即ち回収率が悪くなる。このシミュレーション結果から、流速を１．６ｍ／ｓ以下にすると好ましいことがわかる。
【００１９】
図７（ｂ）は吐出流量を０．６ｍ／ｓ一定、吸込部流速、吐出口と吸込口との距離等の条件を同等とし、吐出口の角度を変えたものである。図を見て明らかなように吐出角度が水平方向に対して６０度より大きくなると循環の安定度、即ち回収率が良くなる。このシミュレーション結果から、吐出角度と水平面のなす角度を６０度以上、鉛直方向に対して吐出角度のなす角度にすると３０度以下にすると好ましいことがわかる。
なお、空気を全量回収することだけを考慮すれば、吹出口４５はほぼ鉛直である方が好ましい。しかしながら、ある程度支柱から離れた範囲での喫煙をカバーするためにも、吹出口４５の角度（θ）、すなわち複数の第２整流板４４の出口の角度が鉛直方向となす角度が大きい方が好ましいので、シミュレーション結果から３０度程度にするとさらに好ましいことがわかる。
本実施の形態１では吹出口４５の鉛直方向に対する角度を３０度で吐出された０．６ｍ／ｓ空気が無風状態で天板４のスリット３の位置に流れるように天板の高さ及びスリット３の位置を設定する。ここで、スリット３を天板４の外周先端に設けると、周囲の空気も吸い込みやすくなるため、天板４の外周とスリット３との間隔Ｌを設けた方が好ましい。
【００２０】
更に周囲の空気を吸い込まないために上部カバーを天板４の下面より突出させ、張り出し部９を設けるようにした方がよい。
天板４及び上部カバー２からなる天井部材と、空気吸込口であるスリット３と、空気吹出口である吹出口４５と、ファン５、ダクト３１からなる空気移送手段と、大部分の塵を除去する手段であるプレフィルタ７及び集塵セル６、有害ガスを除去する脱臭フィルタ４２からなる空気浄化手段と、第１の整流板４３及び第２の整流板４４からなる整流部材を空気吹出口の上流に設け、空気の流れ方向及び速度を空気吸込口へ再循環するように規制したので、吹出口４５から排出された空気のほぼ全量をスリット３から回収することができ、空気浄化手段で除去しきれなかった有害物質を再度空気浄化手段へと導き、室内の他の空間へ有害物質が流出することを防止することができる。
【００２１】
また、アセトアルデヒド及びアンモニア等の有毒気体はプレフィルタ７及び集塵セル６においては回収不可能であるが、前述した脱臭フィルタ４２にて、有毒気体は回収もしくは分解される。１回のみ脱臭フィルタ４２を通過しただけでは全量回収もしくは分解は不可能であるが、吹出口から吐出された空気はほぼ全量回収しているので、何度も脱臭フィルタ４２を通過するうちに、ほぼ全量の有毒ガスを回収もしくは分解することが可能となる。
さらには、天井部材を円形状とし、ファン５および支柱３０内に設けられたダクト３１から構成される空気移送手段と、支柱３０を下部で保持する筐体４０と、吹出口４５が筐体４０の周囲に設けたので、支柱３０下部の筐体４０周囲から空気が吹き出されることから、天井部材の中心下部、支柱近辺での喫煙に対し、吹出口からの空気及び煙を効率的にかつ確実に天井部材に設けられたスリット３から空気を回収することができる。
【００２２】
本実施の形態１においては、吸込口の形状を円周状に設けたスリット３としたが、吸込口の形状は適宜変更可能で、例えば複数箇所設けた網目状の吸込口としてもよい。
また、空気の流れ方向及び速度を空気吸込口方向へ循環するように設定する整流部材として、流速を調整するためにダクト等に流量調整手段を設けてもよいし、流量計を設け、ファン５の出力を調整可能にしてもよい。
また、整流部材を第１及び第２の整流板から構成したが、整流部材は一つの整流板で形成しても良いし、さらに図８に示すように、第２の整流板４４の出口に第３の整流板４７を設け、空気の吹出角度を調整出来るようにしても良い。第３の整流板４７があると、室内にエアコンの気流など定常状態で流れがある場合でも、その流れを考慮しほぼ全量の空気が再循環するように第３の整流板４７を調整することができる。
また、天井部材の形状を円形としたが、吹出口４５から吐出空気をほぼ全量回収できればその形状はいかなるものでも良い。小さい天井部材で効率よく吐出空気を全量回収するためには、吹出口４５の水平方向断面形状と天井の水平方向断面形状は相似であると好ましい。
【００２３】
実施の形態２．
図９はこの実施の形態２の循環式空気浄化機の外観図である。図１０は図９に示す空気浄化機の中心断面図である。図１１は天井カバーの一部を取り除いた断面斜視図である。図１２は天井部分のプレフィルタ、集塵セル、ファンの拡大図である。
プレフィルタ、集塵セル、ファン、脱臭フィルタの機能は、実施の形態１と同様であるのでその説明は省略する。
【００２４】
図に示すように本実施の形態２の空気清浄機は、水平方向断面が長方形と半円を組み合わせた形状の天井部材１０１と、天井部材を片持ち状態で支える壁部材１３０と、天井部材１０１の下方に設けられた筐体１４０から構成されている。
天井部材１０１は上部カバー１０２、天板１０４及び天板１０４の上面に設けられたファン１０５、集塵セル１０６及びプレフィルタ１０７から構成されている。天板１０４は長方形と半円を組み合わせた形状の板で構成されている。先端が丸みをおびたドーム形状の上部カバー１０２端部と天板１０４の端部および壁状部材１３０の端部は接続されている。また、筐体のほぼ鉛直方向上部位置の天板１０４に空気吸込口１０３が設けられている。壁部材１３０方向の天板１０４の上面には開口部１２１を有する仕切壁１２０が設けられている。開口部１２１はファン１０５に連通する。そしてファン１０５の下方には集塵セル１０６、さらに集塵セル１０６の下方で空気吸込口１０３上面にはプレフィルタ１０７が設けられている。図１２にその拡大図が示されているが、空気吸込口１０３と仕切壁１２０に設けられた開口部１２１を密閉するように囲むファンカバー１２２が設けられている。ファンカバー１２２により囲まれた空間には、上述したようにファン１０５、集塵セル１０６およびプレフィルタ１０７が設けられている。
【００２５】
仕切壁１２０に設けられた開口部１２１は、壁部材１３０内部に設けられたダクト１３１と連通している。ダクト１３１の下方もう一端は、筐体１４０の下方内部に開口している。
筐体１４０は直方体のケース１４１、脱臭フィルタ１４２、第１の整流板１４３及び第２の整流板１４４から構成されている。筐体１４０の下方内部に開口したダクト１３１の開口端よりやや上部には脱臭フィルタ１４２が設けられ、その外周はケース１４１と密着している。脱臭フィルタ１４２の上方には格子状の第１の整流板１４３が略等間隔で設けられている。
そして、その上方には筐体上部周辺に開口している吹出口１４５と連通する流路を形成する第２の整流板１４４が設けられている。第２の整流板１４４は、複数の板状部材で構成されており、複数の板状部材の間隔は、吹出口１４５と連通する側の間隔がほぼ均等となり、その反対側の間隔は第１の整流板１４３出口からの流体がほぼ均等の流量となるように構成されている。
【００２６】
続いて、その動作について説明する。図示しないスイッチを入れると、集塵セル１０６に高電圧がかかり、ファン１０５が起動する。すると、空気の循環が始まる。ファン１０５により押し出された空気は壁部材１３０内部のダクト１３１の内部を流れ、筐体１４０の内部下方に開口したダクト１３１から筐体１４０内部に放出される。そして、脱臭フィルタ１４２の内部を放出された空気が通過する。通過した際に、全量ではないが、空気中に含まれるアセトアルデヒド及びアンモニア等の有害気体物質が無毒の物質に分解されるか、もしくは除去される。
【００２７】
一部有害物質を含んだ空気は、その上部の第１の整流板１４３内部を通過する。第１の整流板１４３を通過することにより、乱流が除去され、ほぼ均一な流れが排出される。均一な流れは、第２の整流板１４４に導かれる。第２の整流板１４４出口には吹出口１４５が設けられており、第２の整流板１４４を構成する複数の板の間隔が、吹出口１４５において均一になるように構成されている。そして、ファン１０５が定常状態となる流量において、吹出口流速が０．６ｍ／ｓで各吹出口１４５からの流れが均一になるように第２の整流板の複数の板の入り口間隔が調整されている。鉛直方向に対して略３０度の角度で第２の整流板端部、すなわち吹出口１４５から空気が吐出される。整流された状態で吐出された空気は、筐体上面に設けられた灰皿の周囲で喫煙している喫煙者からの有毒ガスを含む煙をさらに含み、天板１０４方向へと上昇していく。そして、天板１０４に設けられた空気吸込口１０３から上昇してきた空気が回収される。回収された空気はファンカバー１２２内をプレフィルタ１０７、集塵セル１０６へと流れ、プレフィルタ１０７にて比較的大きな塵が除去され、さらには集塵セル１０６にて細かい塵の大部分が除去され、ファン１０５、開口部１２１そして壁部材１３０内のダクト１３１を流れ、再度筐体１４０内部の脱臭フィルタ１４２へと再循環される。
【００２８】
天板１０４及び上部カバー１０２からなる天井部材と、空気吸込口１０３と、空気吹出口である吹出口１４５と、ファン１０５、ダクト１３１からなる空気移送手段と、大部分の塵を除去する手段であるプレフィルタ１０７及び集塵セル１０６、有害ガスを除去する脱臭フィルタ１４２からなる空気浄化手段と、第１の整流板１４３及び第２の整流板１４４からなる整流部材を空気吹出口の上流に設け、空気の流れ方向を空気吸込口方向へ循環するように規制したので、吹出口１４５から排出された空気のほぼ全量を空気吸込口１０３から回収することができ、空気浄化手段で除去しきれなかった有害物質を再度空気浄化手段へと導き、室内の他の空間へ有害物質が流出することを防止することができる。
【００２９】
またファン１０５および天井部材を片持ちに支持する壁状部材１３０内部に設けられたダクト１３１から構成される空気移送手段と、壁状部材１３０の側面かつ天井部材下部に設けられる筐体１４０と、筐体１４０の周囲に吹出口１４５を設けたので、喫煙スペースでない壁状部材１３０の反対側に煙が流れることなく、壁状部材１３０下部の筐体１４０周囲から空気が吹き出されることから、天井部材下部の筐体１４０近辺での喫煙に対し、吹出口からの空気及び煙を効率的にかつ確実に天井部材に設けられた空気吸込口１０３から回収することができる。また、壁状部材１３０がエアコン等からの気流の進入を防ぐため、定常的な気流の影響を少なくすることができる。
【００３０】
本実施の形態２においては、吸込口の形状を１つの長方形としたが、その形状は適宜変更可能で、円形でも良いし、またその数を複数にしてもよい。
また、実施の形態１と同様に整流部材を第１及び第２の整流板から構成したが、整流部材は一つの整流板で形成しても良いし、さらに第２の整流板の出口に第３の整流板を設け、空気の吹出角度を調整出来るようにしても良い。第３の整流板があると、室内にエアコンの気流など定常状態で流れがある場合でも、流れを考慮しほぼ全量の空気が再循環するように第３の整流板を調整することができる。
【００３１】
また、天井部材の水平方向断面を長方形と半円を組み合わせた形状としたが、吹出口１４５からの吐出空気をほぼ全量回収できればその形状はいかなるものでも良い。本実施の形態２において、デザインを重視したために天井部材の水平方向断面と吹出口の水平方向断面形状が異なるものとしたが、小さい天井部材で効率よく吐出空気を全量回収するためには、吹出口１４５と天井の形状は相似であると好ましい。
また、実施の形態１と同様に空気の流れ方向及び速度を空気吸込口へ再循環するように設定する整流部材として、流速を調整するためにダクト等に流量調整手段を設けてもよいし、流量計を設け、ファン１０５の出力を調整可能にしてもよい。
【図面の簡単な説明】
【００３２】
【図１】この実施の形態１の循環式空気清浄機の外観図である。
【図２】図１に示す実施の形態１の循環式空気清浄機の中心断面図である。
【図３】実施の形態１の循環式空気清浄機の上部カバーの一部及び筐体部分の第２の整流板を取り除いた状態での断面斜視図である。
【図４】実施の形態１の循環式空気清浄機の第２整流板近傍の分解図である。
【図５】実施の形態１の循環式空気清浄機の天井部分のプレフィルタ、集塵セル、ファンの拡大図である。
【図６】吹出口からの最適流速を求めるためのシミュレーションを説明するための図である。
【図７】図６のシミュレーション装置において、吹出口の流速を横軸、縦軸に吹出口からの空気を吸込口から回収出来た割合を示すグラフである。
【図８】第２の整流板に第３の整流板を加えた実施の形態１の別形態を示す図である。
【図９】この実施の形態２の循環式空気清浄機の外観図である。
【図１０】図９に示す実施の形態２の循環式空気清浄機の中心断面図である。
【図１１】実施の形態２の循環式空気清浄機の上部カバー及びファンカバーの一部及び筐体部分の第２の整流板の一部を取り除いた状態での断面斜視図である。
【図１２】実施の形態２の循環式空気清浄機の天井部分のプレフィルタ、集塵セル、ファンの拡大図である。
【図１３】従来例の喫煙用の空気清浄機の概略図である。
【図１４】従来例の空気清浄機の概略図である。
【符号の説明】
【００３３】
１、１０１  天井部材
３  スリット
１０３  吸込口
４、１０４  天板
５、１０５  ファン
６、１０６  集塵セル
７、１０７  プレフィルタ
３０  支柱
１３０  壁部材
３１、１３１  ダクト
４０、１４０  筐体
４２、１４２  脱臭フィルタ
４３、１４３  第１の整流板
４４、１４４  第２の整流板
４５、１４５  吹出口
【図１】
2005188910.tif 000003
【図２】
2005188910.tif 000004
【図３】
2005188910.tif 000005
【図４】
2005188910.tif 000006
【図５】
2005188910.tif 000007
【図６】
2005188910.tif 000008
【図７】
2005188910.tif 000009
【図８】
2005188910.tif 000010
【図９】
2005188910.tif 000011
【図１０】
2005188910.tif 000012
【図１１】
2005188910.tif 000013
【図１２】
2005188910.tif 000014
【図１３】
2005188910.tif 000015
【図１４】
2005188910.tif 000016